(57)【要約】【課題】タッチパネルでの操作を基準として構成されていない操作画面におけるタッチパネルでの誤操作を回避し操作性を向上させること。【解決手段】各種操作指示を示すボタンを複数有する操作画面を表示するＬＣＤ３１と、操作画面上の押下信号に基づいてボタンの選択指示を受け付けるタッチパネル３２と、第タッチパネル３１とは異なる構成でボタンの選択指示を受け付けるマウス３３と、マウスによるボタンの選択指示の受け付けを前提として構成されている操作画面において、タッチパネル３２により選択指示が受け付けられた場合、当該選択指示されたボタンが示す操作指示を確定せず、当該選択指示を補助する操作補助画面をＬＣＤ３１に表示させる制御部１１０と、を備えた画像形成装置１。【選択図】図３
2009168932.tif 000002
【特許請求の範囲】
【請求項１】
各種操作指示を示すボタンを複数有する操作画面を表示する表示部と、
前記操作画面上の押下信号に基づいて前記ボタンの選択指示を受け付ける第１入力部と、
前記第１入力部とは異なる構成で前記ボタンの選択指示を受け付ける第２入力部と、
前記第２入力部による前記ボタンの選択指示の受け付けを前提として構成されている前記操作画面において、前記第１入力部により前記選択指示が受け付けられた場合、当該選択指示されたボタンが示す操作指示を確定せず、当該選択指示を補助する操作補助画面を前記表示部に表示させる制御部と、
を備えた画像形成装置。
【請求項２】
前記操作補助画面は、
前記ボタンの選択指示を移動させる移動ボタンと、
前記選択指示を解除する解除ボタンと、
前記選択指示されたボタンが示す操作指示を確定する確定ボタンと、
を有する、
請求項１に記載の画像形成装置。
【請求項３】
前記制御部は、
前記操作補助画面を前記選択指示されたボタンの位置とは異なる位置に表示させる、
請求項１又は２に記載の画像形成装置。
【請求項４】
前記第１入力部は、タッチパネルであり、
前記第２入力部は、マウスであり、
前記操作画面は、前記マウスでの前記ボタンの選択指示の受け付けを想定して構成されている画面である、
請求項１から３のいずれか一項に記載の画像形成装置。
【発明の詳細な説明】
【技術分野】
【０００１】
本発明は、画像形成装置に関する。
【背景技術】
【０００２】
近年、コンピュータ操作が苦手なユーザでも容易に操作できる入力装置として、ＣＲＴ（Cathode Ray Tube）ディスプレイやＬＣＤ（Liquid Crystal Display）等に表示された操作画面を覆うように設けられたタッチパネルや、操作画面上のポインタを操作して入力するポインティングデバイスとしてのマウスが広く普及している。
【０００３】
タッチパネルとマウスとを入力装置として備える場合、タッチパネルでの入力操作を行なう場合には、操作画面上に表示されているボタンを押下して入力を行なうため、マウスの左ボタンや右ボタンの使い分けやドラッグ操作などが行なえない。
【０００４】
そこで、タッチパネルの操作を行なう際、タッチパネルに接触した位置にポインタを表示させると共に、ポインタに隣接する位置に、マウスでの左クリック、右クリック、ドラッグ等の動作を実行させるための選択メニューを表示し、当該選択メニューからの選択により、マウスと同様の操作を可能とする技術が開示されている（特許文献１参照）。
【特許文献１】特開２００７−２２６５７１号公報
【発明の開示】
【発明が解決しようとする課題】
【０００５】
タッチパネルでの操作を基準として構成された操作画面は、表示されるボタンのサイズが指で押下しやすいサイズに制約され、複数のボタンの表示や複雑な操作を行なうことができない。一方、マウスでの操作を基準として構成された操作画面は、表示されるボタンのサイズは規制される要因がなく、複数のボタンの表示や複雑な操作を行なうことができ、健常者だけでなく手先が不自由な障害者であっても、使い勝手がよいという利点がある。
【０００６】
また、タッチパネルとマウスとを入力装置として備えた画像形成装置の場合、タッチパネルは画像形成装置本体の上部に床面に対して垂直に設けられることが多く、車椅子等を使うユーザにとっては、手が届きにくく操作し難いという問題があり、マウスでの操作がタッチパネルの操作の代替手段となっている。
【０００７】
そこで、マウスでの操作を基準として構成された操作画面において、従来の技術のように、タッチパネルでマウスと同様な操作を実現した場合、指先よりも小さいサイズのボタンを選択することが困難となり、誤操作を招き、使い勝手が悪いという問題がある。
【０００８】
本発明の課題は、上記問題に鑑みて、タッチパネルでの操作を基準として構成されていない操作画面における、タッチパネルでの誤操作を回避し、操作性を向上させることである。
【課題を解決するための手段】
【０００９】
請求項１に記載の発明は、各種操作指示を示すボタンを複数有する操作画面を表示する表示部と、前記操作画面上の押下信号に基づいて前記ボタンの選択指示を受け付ける第１入力部と、前記第１入力部とは異なる構成で前記ボタンの選択指示を受け付ける第２入力部と、前記第２入力部による前記ボタンの選択指示の受け付けを前提として構成されている前記操作画面において、前記第１入力部により前記選択指示が受け付けられた場合、当該選択指示されたボタンが示す操作指示を確定せず、当該選択指示を補助する操作補助画面を前記表示部に表示させる制御部と、を備えた画像形成装置である。
【００１０】
請求項２に記載の発明は、請求項１に記載の画像形成装置において、前記操作補助画面は、前記ボタンの選択指示を移動させる移動ボタンと、前記選択指示を解除する解除ボタンと、前記選択指示されたボタンが示す操作指示を確定する確定ボタンと、を有する。
【００１１】
請求項３に記載の発明は、請求項１又は２に記載の画像形成装置において、前記制御部は、前記操作補助画面を前記選択指示されたボタンの位置とは異なる位置に表示させる。
【００１２】
請求項４に記載の発明は、請求項１から３のいずれか一項に記載の画像形成装置において、前記第１入力部は、タッチパネルであり、前記第２入力部は、マウスであり、前記操作画面は、前記マウスでの前記ボタンの選択指示の受け付けを想定して構成されている画面である。
【発明の効果】
【００１３】
請求項１に記載の発明によれば、第２入力部によるボタンの操作指示の受け付けを前提として構成された操作画面において、第１入力部により選択指示が受け付けられた場合、当該選択指示されたボタンが示す操作指示を確定せず、表示された操作補助画面により選択指示を補助することができるため、第２入力部によるボタンの操作指示の受け付けを前提として構成された操作画面、即ち、第１入力部によるボタンの操作指示の受け付けを前提として構成されていない操作画面、における第１入力部での誤操作を回避し、操作性を向上させることができる。
【００１４】
請求項２に記載の発明によれば、請求項１と同様の効果を得られるのは勿論のこと、操作補助画面により、ボタンの選択指示を他のボタンに移動させたり、選択指示されたボタンが示す操作指示を確定させたり、解除させたりすることができるため、操作性を向上できる。
【００１５】
請求項３に記載の発明によれば、請求項１又は２と同様の効果を得られるのは勿論のこと、選択指示されたボタンの位置とは異なる位置に操作補助画面を表示できるため、選択指示されたボタンを操作補助画面で覆い隠さすことなく、選択指示されたボタンと操作補助画面とを視認しながら操作補助画面での操作ができ、操作性を向上できる。
【００１６】
請求項４に記載の発明によれば、請求項１から３のいずれか一項と同様の効果を得られるのは勿論のこと、タッチパネルによるボタンの操作指示の受け付けを前提として構成されていない操作画面におけるタッチパネルでの誤操作を回避し、操作性を向上させることができる。
【発明を実施するための最良の形態】
【００１７】
以下、図を参照して本発明の実施の形態を詳細に説明する。
まず、構成を説明する。
図１に、本実施の形態における画像形成装置１の概略断面構成図を示す。
【００１８】
図１に示すように、画像形成装置１は、原稿から画像を読み取り、読み取った画像を用紙Ｐに画像形成したり、外部装置等から画像データを含むページデータや各画像データの画像形成条件等の設定情報を含むジョブのジョブ情報を受信し、受信したジョブ情報に基づいて画像を用紙Ｐ上に形成したりする本体部１ａと、画像が形成された用紙に後処理を施す後処理部５０等を備えたデジタル複合機である。本体部１ａは、画像読取部２０と、操作表示部３０と、プリント部４０と等を備えて構成される。
【００１９】
画像読取部２０は、ＡＤＦ（Auto Document Feeder）と称される自動原稿送り部２１と読取部２２とを備え、操作表示部３０により受け付けられた設定情報に基づいて複数の原稿の画像を読み取る機能を実現する。自動原稿送り部２１の原稿トレイＴ１に載置された原稿ｄは、読取個所であるコンタクトガラスに搬送され、光学系により原稿ｄの片面又は両面の画像が読み取られ、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００２０】
画像読取部２０により読み取られた画像のデータ（アナログ画像信号）は、後述する画像制御基板の読取処理部１４０に出力され、読取処理部１４０においてＡ／Ｄ変換され各種画像処理が施された後、プリント部４０に出力される。
【００２１】
操作表示部３０は、ＬＣＤ（Liquid Crystal Display）３１、ＬＣＤ３１を覆うように設けられたタッチパネル３２、マウス３３、その他図示しない操作キー群から構成され、ユーザからの指示を受け付けその操作信号を制御部１１０に出力し、また、制御部１１０から入力される表示信号に従って、各種操作指示や設定情報を入力するための各種設定画面や各種処理結果等を表示する。
【００２２】
ＬＣＤ３１は、各種操作指示を示すボタンを複数有する操作画面（例えば、図５、図６参照）や、後述する操作補助画面（図５、図６参照）を表示する表示部として機能し、当該各画面により受け付けられた指示を示す操作信号を後述する制御部１１０に出力する。
【００２３】
また、タッチパネル３２は、操作画面上の押下信号に基づいて操作画面上のボタンの選択指示を受け付ける第１入力部、マウス３３は、タッチパネル３２とは異なる操作構成、即ち、操作画面上に表示されるポインタの操作による操作画面上のボタンの選択指示を受け付ける第２入力部、として機能する。
【００２４】
プリント部４０は、入力されたプリントデータに基づいて、電子写真方式の画像形成処理を行うものであり、給紙部４１、給紙搬送部４２、画像形成部４３、搬出部４４を備えて構成される。
【００２５】
給紙部４１は、複数の給紙トレイ４１ａ、給紙手段４１ｂ、手差しトレイＴ２等を備える。給紙トレイ４１ａは、給紙トレイ４１ａ毎に用紙の種類毎に予め識別された用紙Ｐが収容されており、給紙手段４１ｂによって用紙Ｐを最上部から一枚ずつ給紙搬送部４２に向けて搬送する。手差しトレイＴ２は、ユーザのニーズに合わせて様々な種類の用紙Ｐを積載可能となっており、給紙ローラによって積載された用紙Ｐを最上部から一枚ずつ給紙搬送部４２に向けて搬送する。
【００２６】
給紙搬送部４２は、給紙トレイ４１ａ又は手差しトレイＴ２から搬送された用紙Ｐを、複数の中間ローラ、レジストローラ４２ａ等を経て転写装置４３ａへと搬送する。
また、給紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００２７】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備え、後述するＲＡＭ１３０に記憶されているジョブ情報に基づいて用紙に画像を形成する機能を実現する。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００２８】
定着装置４３ｂは、給紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００２９】
後処理部５０は、画像形成された用紙のソート処理を行うソート部、パンチ処理を行うパンチ部、設定された綴じ位置に用紙の束を綴じるステイプル処理を行うステイプル部、折り処理を行う折り部、断裁処理を行う断裁部等の後処理ユニットと、本体部１ａにより画像形成された用紙や各種後処理が施された用紙が排紙され積載される排紙トレイＴ３を備える。
【００３０】
図２に、画像形成装置１の制御ブロック図を示す。
図２に示すように、画像形成装置１は、本体部１ａとプリンタコントローラ１ｂと、本体部１ａに接続された後処理部５０から構成されている。画像形成装置１は、プリンタコントローラ１ｂのＬＡＮＩＦ（Local Area Network InterFace）１４を介してネットワーク３上の外部装置２と相互に情報の送受信が可能に接続されている。
【００３１】
本体部１ａは、画像読取部２０、操作表示部３０、プリント部４０、画像制御基板１００を備えて構成される。なお、図１で説明した各部と同一の構成には、同一の符号を付してその説明を省略する。
【００３２】
画像制御基板１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０、から構成される。
【００３３】
制御部１１０は、ＣＰＵ（Central Processing Unit）等から構成され、不揮発メモリ１２０に格納されているシステムプログラム及び各種アプリケーションプログラムの中から指定されたプログラムを読み出してＲＡＭ１３０に展開し、ＲＡＭ１３０に展開されたプログラムとの協働で、各種処理を実行し、画像形成装置１の各部を集中制御する。
例えば、操作表示部３０や外部装置２から入力される指示信号に従って、コピーモード、プリンタモード、スキャナモードを切り替え、複写、プリント、画像データの読取等の制御を行う。
【００３４】
制御部１１０は、不揮発メモリ１２０から本実施の形態に係る操作表示部３０により操作信号が入力される際における操作補助処理プログラムと、当該プログラム及び各種データとの協働により、操作表示部３０のＬＣＤ３１上に表示されたマウスによるボタンの選択指示の受け付けを前提として構成されている操作画面（マウス専用画面）上のボタンの選択指示がタッチパネル３２により受け付けられたか否かを判別し、選択指示がタッチパネル３２により受け付けられた場合、当該選択指示されたボタンが示す操作指示を確定せず、当該選択指示を補助する操作補助画面をＬＣＤ３１に表示させる処理を制御する。
【００３５】
不揮発メモリ１２０は、画像形成に係る各種処理プログラム及びデータの他、本実施の形態に係る操作補助処理プログラム、各種プログラムで処理されたデータ等を記憶する。
【００３６】
ＲＡＭ１３０は、制御部１１０により実行される各種プログラム及びこれらプログラムに係る各種データ等を一時的に記憶するワークエリアを形成する。
【００３７】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００３８】
圧縮ＩＣ１５０は、入力されたデジタル画像データに圧縮処理を施してＤＲＡＭ制御ＩＣ１６０に出力する。
【００３９】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。
例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００４０】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００４１】
伸長ＩＣ１８０は、圧縮画像データに伸長処理を施す。
【００４２】
書込処理部１９０は、ＤＲＡＭ制御ＩＣ１６０から入力された画像データに基づいて、画像形成のためのプリントデータを生成し、プリント部４０に出力する。
【００４３】
画像読取部２０は、ＣＣＤ２２ａ、画像読取制御部２００、その他ここでは図示しないが図１に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００４４】
操作表示部３０は、ＬＣＤ３１、タッチパネル３２、マウス３３、操作表示制御部３００、その他テンキー等の操作キー群から構成される。操作表示制御部３００は、制御部１１０から入力される表示信号に従って、各種設定条件を入力するための各種画面や各種処理結果等をＬＣＤ３１に表示させる。また、操作表示制御部３００は、各種スイッチやボタン、テンキー、操作キー群、タッチパネル３２又はマウス３３から入力される操作信号を制御部１１０に出力する。
【００４５】
プリント部４０は、図１に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理部５０の各部を動作させる指示信号を後処理制御部５００に出力する。
【００４６】
後処理部５０は、各種後処理ユニット、各種後処理ユニットへ用紙を搬送する搬送ローラ等の搬送手段、各種後処理ユニットから搬送された用紙が排紙される排紙トレイＴ３等が設けられており、各種後処理ユニットは後処理制御部５００により統括的に制御されている。後処理制御部５００は、制御部１１０からプリント制御部４００を介して入力される後処理の指示信号に応じて、用紙Ｐを搬送経路に沿って所定の後処理ユニットに搬送し、各部を駆動制御して用紙Ｐに所定の後処理を行わせ、排紙トレイＴ３に排紙させる制御を行う。
【００４７】
次に、プリンタコントローラ１ｂの各部について説明する。プリンタコントローラ１ｂは、画像形成装置１をネットワークプリンタとして使用する場合に、ネットワーク３に接続される外部装置２から画像形成装置１に入力されるジョブの管理及び制御を行うものであり、外部装置２からプリント対象のデータを受信し、当該データをジョブとして本体部１ａへ送信する。
【００４８】
プリンタコントローラ１ｂは、コントローラ制御部１１、ＤＲＡＭ制御ＩＣ１２、画像メモリ１３、ＬＡＮＩＦ１４から構成される。
【００４９】
コントローラ制御部１１は、プリンタコントローラ１ｂ各部の動作を統括的に制御し、ＬＡＮＩＦ１４を介して、外部装置２から入力されるデータをジョブとして本体部１ａへ送信する。
【００５０】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００５１】
画像メモリ１３は、ＤＲＡＭから構成され、入力された出力データを一時的に格納する。
【００５２】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００５３】
次に、本実施の形態の動作を説明する。
図３及び図４に、本実施の形態における操作補助処理のフローチャートを示す。図３及び図４に示すフローチャートは、制御部１１０によって実行される処理である。
【００５４】
なお、本処理は、操作表示部３０のＬＣＤ３１上に、マウスでのボタンの選択指示の受け付けを想定して構成されている操作画面（マウス専用画面）が表示されている場合を挙げて説明する。このマウス専用画面としては、ボタンのサイズがタッチパネルでは選択指示し難いサイズ、例えば、指先のサイズよりも小さいサイズで構成されている画面である。
【００５５】
制御部１１０は、操作表示部３０のＬＣＤ３１上に表示されている操作画面内のボタンの選択指示があるか否かを判別し（ステップＳ１）、選択指示がない場合（ステップＳ１；Ｎｏ）、ステップＳ１に戻る。
【００５６】
制御部１１０は、操作表示部３０のＬＣＤ３１上に表示されている操作画面内のボタンの選択指示がある場合（ステップＳ１；Ｙｅｓ）、当該操作画面と、当該操作画面上における選択指示された位置座標信号とに基づいて、選択指示されたボタンの特定を行なう（ステップＳ２）。
【００５７】
制御部１１０は、特定されたボタンの選択指示はタッチパネル３２からの操作指示であるか否かを判別する（ステップＳ３）。ステップＳ３における判別処理としては、例えば、選択指示がタッチパネル３２からの押下信号であるか否かを判別したり、選択指示がマウス３３からのクリック信号であるか否かを判別したりするものである。
【００５８】
制御部１１０は、タッチパネル３２からの選択指示でない場合（ステップＳ３；Ｎｏ）、選択指示されたボタンが示す操作指示を確定する公知のマウス３３操作処理を実行し（ステップＳ４）、本処理を終了する。
【００５９】
制御部１１０は、タッチパネル３２からの選択指示である場合（ステップＳ３；Ｙｅｓ）、選択指示されたボタンが示す操作指示を確定せずに、ステップＳ２において特定されたボタン（特定ボタン）の表示状態を選択状態に表示させ、また、当該特定ボタンを覆い隠さない位置に操作補助画面を表示させる（ステップＳ５）。
【００６０】
図５に、ステップＳ５における操作画面Ｇ１と操作補助画面Ｇ１０の例を示す。
図５に示すように、操作画面Ｇ１は、複数のボタンが表示されたマウス専用画面であり、各ボタンのサイズがタッチパネルでは選択指示がし難いサイズ、例えば、指先のサイズよりも小さいサイズで構成されている画面である。
【００６１】
当該操作画面Ｇ１において、タッチパネルから画質設定領域の緑色に対応するボタン（コンボ・ボックス）Ｂ１の選択指示がある場合、当該ボタンＢ１が特定ボタンとして枠Ｗで囲まれた状態に表示され、選択状態である旨が表示される。
【００６２】
また、操作補助画面Ｇ１０は、ボタンＢ１とは異なる位置、即ち、ボタンＢ１を覆い隠さない位置に表示され、ＵＰボタンＢ１１、ＤＯＷＮボタンＢ１２、キャンセルボタンＢ１３、確定ボタンＢ１４、を有する。ＵＰボタンＢ１１、ＤＯＷＮボタンＢ１２は、ボタンの選択指示を移動、即ち、選択状態に表示されるボタンを移動させる指示を受け付ける移動ボタンとして機能する。キャンセルボタンＢ１３は、選択指示を解除する指示を受け付ける解除ボタンとして機能する。確定ボタンＢ１４は、選択指示されたボタン、即ち、選択状態に表示されているボタンが示す操作指示を確定する指示を受け付けるボタンとして機能する。
【００６３】
制御部１１０は、ステップＳ５後、ＵＰボタンＢ１１又はＤＯＷＮボタンＢ１２の選択指示を受け付けたか否かを判別し（ステップＳ６）、ＵＰボタンＢ１１又はＤＯＷＮボタンＢ１２の選択指示を受け付けた場合（ステップＳ６；Ｙｅｓ）、ＵＰボタンＢ１１又はＤＯＷＮボタンＢ１２の選択指示に応じて、選択状態に表示されるボタンを移動させる（ステップＳ７）。
【００６４】
ステップＳ７の処理としては、例えば、図５に示す緑色に対応するボタンＢ１が選択状態に表示されている操作画面Ｇ１において、ＵＰボタンＢ１１の選択指示を受け付けた場合、選択状態に表示されるボタンを緑色に対応するボタンＢ１の上部に位置する赤色に対応するボタンＢ２に移動させ、ＤＯＷＮボタンＢ１２の選択指示を受け付けた場合、選択状態に表示されるボタンを緑色に対応するボタンＢ１の下部に位置する青色に対応するボタンＢ３に移動させるものである。
【００６５】
制御部１１０は、ＵＰボタンＢ１１又はＤＯＷＮボタンＢ１２の選択指示を受け付けていない場合（ステップＳ６；Ｎｏ）、キャンセルボタンＢ１３の選択指示を受け付けたか否かを判別する（ステップＳ８）。
【００６６】
制御部１１０は、キャンセルボタンＢ１３の選択指示を受け付けた場合（ステップＳ８；Ｙｅｓ）、選択状態の表示を解除、例えば、選択状態を示す枠Ｗを操作画面Ｇ１から消去し（ステップＳ９）、操作補助画面Ｇ１０を閉じ（ステップＳ１０）、本処理を終了する。
【００６７】
制御部１１０は、キャンセルボタンＢ１３の選択指示を受け付けていない場合（ステップＳ８；Ｎｏ）、確定ボタンＢ１４の選択指示を受け付けたか否かを判別し（ステップＳ１１）、確定ボタンＢ１４の選択指示を受け付けていない場合（ステップＳ１１；Ｎｏ）、ステップＳ６に戻る。
【００６８】
制御部１１０は、確定ボタンＢ１４の選択指示を受け付けた場合（ステップＳ１１；Ｙｅｓ）、選択状態に表示されているボタンが示す操作指示を確定し（ステップＳ１２）、当該ボタンのプルダウンメニューを表示させ、当該プルダウンメニュー内のいずれかのボタンを選択状態に表示させると共に、当該選択状態に表示されたボタンの操作補助画面を表示させる（ステップＳ１３）。
【００６９】
図６に、ステップＳ１３における操作画面Ｇ１と操作補助画面Ｇ２０の例を示す。
図６に示す操作画面Ｇ１は、タッチパネルから画質設定領域の赤色に対応するボタン（コンボ・ボックス）Ｂ２が選択状態であるときに確定ボタンＢ１４の選択指示を受け付けた際、当該ボタンＢ２のプルダウンメニューＭが表示された状態の画面である。
【００７０】
このプルダウンメニューＭ内のいずれか予め設定されたボタン、ここでは「＋２」のボタンＢ４が枠Ｗで囲まれた選択状態として表示され、当該プルダウンメニューＭを覆い隠さない位置に操作補助画面Ｇ２０が表示される。なお、操作補助画面Ｇ２０は、図５に示して説明した操作補助画面Ｇ１０と同様の構成とする。
【００７１】
制御部１１０は、ステップＳ１３後、ＵＰボタンＢ１１又はＤＯＷＮボタンＢ１２の選択指示を受け付けたか否かを判別し（ステップＳ１４）、ＵＰボタンＢ１１又はＤＯＷＮボタンＢ１２の選択指示を受け付けた場合（ステップＳ１４；Ｙｅｓ）、ＵＰボタンＢ１１又はＤＯＷＮボタンＢ１２の選択指示に応じて、プルダウンメニューＭ内において選択状態に表示されるボタンを移動させる（ステップＳ１５）。
【００７２】
制御部１１０は、ＵＰボタンＢ１１又はＤＯＷＮボタンＢ１２の選択指示を受け付けていない場合（ステップＳ１４；Ｎｏ）、キャンセルボタンＢ１３の選択指示を受け付けたか否かを判別する（ステップＳ１６）。
【００７３】
制御部１１０は、キャンセルボタンＢ１３の選択指示を受け付けた場合（ステップＳ１６；Ｙｅｓ）、選択状態の表示を解除、例えば、選択状態を示す枠Ｗを操作画面Ｇ１から消去し（ステップＳ１７）、プルダウンメニューＭ及び操作補助画面Ｇ１０を閉じ（ステップＳ１８）、本処理を終了する。
【００７４】
制御部１１０は、キャンセルボタンＢ１３の選択指示を受け付けていない場合（ステップＳ１６；Ｎｏ）、確定ボタンＢ１４の選択指示を受け付けたか否かを判別し（ステップＳ１９）、確定ボタンＢ１４の選択指示を受け付けていない場合（ステップＳ１９；Ｎｏ）、ステップＳ１４に戻る。
【００７５】
制御部１１０は、確定ボタンＢ１４の選択指示を受け付けた場合（ステップＳ１９；Ｙｅｓ）、選択状態に表示されているボタンが示す操作指示を確定し（ステップＳ２０）、当該ボタンのプルダウンメニューＭを閉じ（ステップＳ２１）、本処理を終了する。
【００７６】
以上のように、本実施の形態によれば、マウスによるボタンの操作指示の受け付けを前提として構成された操作画面（マウス専用画面）において、タッチパネルにより選択指示が受け付けられた場合、当該選択指示されたボタンが示す操作指示を確定せず、表示された操作補助画面により選択指示を補助することができるため、マウス専用画面、即ち、タッチパネルによるボタンの操作指示の受け付けを前提として構成されていない操作画面、におけるタッチパネルでの誤操作を回避し、操作性を向上させることができる。
【００７７】
また、ＵＰボタン１１、ＤＯＷＮボタン１２、キャンセルボタン１３、確定ボタン１４を有する操作補助画面により、ボタンの選択指示を他のボタンに移動させたり、選択指示されたボタンが示す操作指示を確定させたり、解除させたりすることができるため、操作性を向上できる。
【００７８】
更に、選択指示されたボタンの位置とは異なる位置に操作補助画面を表示できるため、選択指示されたボタンを操作補助画面で覆い隠さすことなく、選択指示されたボタンと操作補助画面とを視認しながら操作補助画面での操作ができ、操作性を向上できる。
【００７９】
以上の説明では、本発明に係るプログラムのコンピュータ読み取り可能な媒体として不揮発メモリ１２０を使用した例を開示したが、この例に限定されない。その他のコンピュータ読み取り可能な媒体として、フラッシュメモリ等の不揮発性メモリ、ＣＤ-ＲＯＭ等の可搬型記録媒体を適用することが可能である。また、本発明に係るプログラムのデータを通信回線を介して提供する媒体として、キャリアウエーブ(搬送波)も本発明に適用される。
【００８０】
また、本発明は、上記実施の形態の内容に限定されるものではなく、本発明の主旨を逸脱しない範囲で適宜変更可能である。
【図面の簡単な説明】
【００８１】
【図１】本実施の形態における画像形成装置の概略断面構成図である。
【図２】画像形成装置の制御ブロック図である。
【図３】操作補助処理のフローチャートである。
【図４】操作補助処理のフローチャートである（図３の続き）。
【図５】ステップＳ５における操作画面と操作補助画面の例を示す図である。
【図６】ステップＳ１３における操作画面と操作補助画面の例を示す図である。
【符号の説明】
【００８２】
１  画像形成装置
１ａ  本体部
１ｂ  プリンタコントローラ
２  外部装置
３  ネットワーク
１１  コントローラ制御部
１２  ＤＲＡＭ制御ＩＣ
１３  画像メモリ
１４  ＬＡＮＩＦ
２０  画像読取部
２１  自動原稿送り部
２２  読取部
２２ａ  ＣＣＤ
３０  操作表示部
３１  ＬＣＤ
３２  タッチパネル
３３  マウス
４０  プリント部
４１  給紙部
４１ａ  給紙トレイ
４１ｂ  給紙手段
４２  給紙搬送部
４２ａ  レジストローラ
４３  画像形成部
４３ａ  転写装置
４３ｂ  定着装置
４４  搬出部
５０  後処理部
１００  画像制御基板
１１０  制御部
１２０  不揮発メモリ
１３０  ＲＡＭ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  操作表示制御部
４００  プリント制御部
５００  後処理制御部
Ｂ１、Ｂ２、Ｂ３、Ｂ４  ボタン
Ｂ１１  ＵＰボタン
Ｂ１２  ＤＯＷＮボタン
Ｂ１３  キャンセルボタン
Ｂ１４  確定ボタン
ｄ  原稿
Ｇ１  操作画面
Ｇ１０、Ｇ２０  操作補助画面
Ｐ  用紙
Ｍ  プルダウンメニュー
Ｔ１  原稿トレイ
Ｔ２  手差しトレイ
Ｔ３  排紙トレイ
Ｗ  枠
【図１】
2009168932.tif 000003
【図２】
2009168932.tif 000004
【図３】
2009168932.tif 000005
【図４】
2009168932.tif 000006
【図５】
2009168932.tif 000007
【図６】
2009168932.tif 000008